(57)【特許請求の範囲】
【請求項１】
最内層に配設されたゴムチューブ層の上に、繊維コードが互いに交差するように巻回された複数層の繊維補強コード層と、ホース長手方向にスパイラル状に巻回したスチールワイヤー層と、この外側に複数層の前記繊維補強コード層と同様な繊維補強コード層とを順次積層させて本体耐圧コード層を形成し、最外層にカバーゴム層を被覆してなるマリンホースにおいて、
前記スチールワイヤー層の内側及び外側にそれぞれ最も近接する繊維補強コード層の繊維コードがホース長手方向となす配向角度を、３５°以上〜５５°未満の範囲に設定すると共に、少なくとも前記スチールワイヤー層の内側の繊維補強コード層における配向角度を複数層毎に変化させたマリンホース。
【請求項２】
前記複数層毎に変化させる配向角度を、０°以上〜４°未満の範囲とした請求項１に記載のマリンホース。
【請求項３】
前記スチールワイヤー層の外側の繊維補強コード層における配向角度を複数層毎に変化させた請求項１又は２に記載のマリンホース。
【発明の詳細な説明】
【０００１】
【発明の属する技術分野】
この発明は、流体を輸送するマリンホースに係わり、更に詳しくは繊維補強コード層の繊維コードにかかる応力を均等にして、積層数を減らしながら破壊圧力を向上させたマリンホースに関するものである。
【０００２】
【従来の技術】
従来、陸上の設置された原油等を貯蓄するオイルタンクと、海上に停泊するオイルタンカーとを結んで原油等のオイルを輸送するマリンホースは、その最内層に配設されたゴムチューブ層上に、ゴム被覆された各繊維コードが互いに交差するように巻回された複数層の繊維補強コード層と、ホースの長手方向にスパイラル状に巻回したスチールワイヤー層と、この外側に複数層の前記と同様な繊維補強コード層とを順次積層させて本体耐圧コード層を形成し、最外層にカバーゴム層を被覆して構成されている。
【０００３】
【発明が解決しようとする課題】
ところで、スチールワイヤー層の内側に配設される繊維補強コード層は、マリンホースの軸方向の内圧力に対する耐圧層として機能し、またスチールワイヤー層は、マリンホースの円周方向の内圧力に対する耐圧層として機能し、従って、そのコードの配向角度は各層の機能により設定する必要があるが、従来のマリンホースでは、例えば、繊維補強コード層の場合、３７°や４０°に固定され、全て均一の構造をなしていた。
【０００４】
また、繊維補強コード層の繊維コードの配向角度を、５５°以上に設定した場合、軸方向の応力を受け持つために繊維補強コード層のプライ数が多くなり、また繊維コードの配向角度を、３５°よりも小さくすると、周方向の応力を受け持つためのプライ数を増加する必要があり好ましくない。また、スチールワイヤー層は、上記のように円周方向の内圧力に対する耐圧層であることから、そのコードの配向角度は最大９０°まで許容できるが、コード角度を７０°よりも小さくするとプライ数を増加する必要があり好ましくない。
【０００５】
更に、繊維補強コードは、上記のような配向角度で均一に撚り合わされているために、内管を通過する流体の圧力により繊維コードの応力は層毎にバラツキが生じ、特にスチールワイヤー層間や、その近傍に位置する繊維補強コード層は、コードの配向角度の違いや、均一な配向角度であることから、張力にバラツキが生じて繊維補強層の破壊強度が低下すると言う問題があった。
【０００６】
この発明の目的は、繊維補強コード層の各層毎の繊維コードにかかる力を均等にすることで、少なくとも同じ層数以下で破壊強度を向上させたマリンホースを提供することにある。
【０００７】
【課題を解決するための手段】
この発明は、上記目的を達成するため、スチールワイヤー層の内側及び外側にそれぞれ最も近接する繊維補強コード層の繊維コードがホース長手方向となす配向角度を、３５°以上〜５５°未満の範囲に設定すると共に、少なくともスチールワイヤー層の内側の繊維補強コード層における配向角度を複数層毎に変化させたことを要旨とするものである。
【０００８】
また、前記層毎に変化させる配向角度を、０°以上〜４°未満の範囲とし、変化させる層が、複数層毎であることを要旨とするものである。
【０００９】
この発明は、上記のように構成することで、繊維補強コード層の各層毎の繊維コードにかかる力を均等にし、少なくとも同じ層数以下で破壊強度を向上させることが出来るものである。
【００１０】
【発明の実施の形態】
以下、添付図面に基づき、この発明の実施形態を説明する。
【００１１】
図１は、この発明を実施したマリンホースの繊維コードの配向状態を示す正面図、図２は図１のＸ部の拡大図、図３は図２のＡ−Ａ矢視拡大断面図を示し、前記マリンホースは、ホース本体部１の両端に取付けフランジ２ａ，２ｂを一体的に設けてある。
【００１２】
前記ホース本体部１は、最内層に配設されたゴムチューブ層３上に、ポリエステルコード等のゴム被覆された繊維コード４ａ〜４ｄを互いに交差するように巻回した複数層（この実施形態では４層であるが、２層〜１０層にすることも可能である）の繊維補強コード層５と、ホース本体部１の長手方向にスパイラル状に巻回したスチールワイヤー層６と、この外側にゴム被覆された繊維コード７ａ〜７ｃを互いに交差するように巻回した複数層（この実施形態では３層であるが、２層〜１０層にすることも可能である）の繊維補強コード層８とを順次積層させて本体耐圧コード層９を形成し、最外層にはカバーゴム層１０を被覆して構成してある。
【００１３】
この発明の実施形態では、前記スチールワイヤー層６に最も近接する繊維補強コード層５の繊維コード４ｄ，７ａの配向角度αを３５°以上〜５５°未満の範囲、好ましくは３５°以上〜４７°未満の範囲に設定してある。なお、この配向角度αが３５°以上〜５５°未満の範囲は、繊維コードの疲労や伸び等を考慮して設定したものである。
【００１４】
また、前記の配向角度αを３５°以上〜５５°未満の範囲に設定した繊維コード４ｄ、７ａの内外の外側に配設する繊維コード４ａ〜４ｃ及び７ｂ、７ｃの配向角度αを、各層毎、好ましくは複数層毎に０°以上〜４°未満の範囲で変化させて積層する。
上記の実施形態では、繊維コード４ｄ、７ａの内外の外側の繊維補強コード層５における配向角度αを、複数層毎に０°以上〜４°未満の範囲で変化させているが、後述する表１の実施例のように、スチールワイヤー層６の内側の繊維補強コード層５だけの配向角度αを、複数層毎に変化させるようにしてもよい。
【００１５】
このように構成することで、各層毎の繊維コードにかかる力を均等にし、少なくとも同じ層数以下で破壊強度を向上させることが出来るものである。
【００１６】
以上のように構成することで、内管内を通過する流体Ｗの圧力により、層毎にバラツキが生じることはなく、繊維補強コード層５の各繊維コード４ａ〜４ｄ及び繊維補強コード層８の各７ａ〜７ｃにかかる応力を均等にすることができ、少なくとも同じ層数以下で破壊強度を向上させることが出来る。
【００１７】
以下の表１は、この発明の実施形態にかかるマリンホースと従来のマリンホースとの各層毎における張力（Ｎ）と配向角度α（°）とを比較したもので、今回の比較実験は、ＦＥＭ解析方法により行い、ＦＥＭ解析方法は耐圧試験方法の『ＯＣＩＭＦ(Oil Companies International Marine Forum)規格』の水圧試験と同条件で実施した。
(a).ＦＥＭ解析方法
ＦＥＭ解析方法は、任意の軸より３６０度回転した断面が同一の軸対象モデルを作成し、この軸対象モデルの断面（二次元）を使用して三次元のモデルを解析する方法である。
【００１８】
この発明の実施形態の場合は、マリンホース内部に内圧をかけて解析を行うもので、マリンホースの破壊試験と同条件である。
【００１９】
上記ＯＣＩＭＦ規格に規定されている水圧試験の概略は以下の通りである。
【００２０】
(1). 全てのホースは、水により定格圧力で試験する。
【００２１】
(2). 水圧記録計がこの試験に用いられる。
【００２２】
(3). 伸びを拘束しない支持台上にできるだけ真っ直ぐに置く。
(b).材料定数
(1). ポリエステル繊維  ヤング率 66930 MPa     ポアソン比 0.3
(2). ボディーワイヤー  ヤング率 210000 MPa     ポアソン比 0.29
(3). ゴム材料          ヤング率 40 MPa         ポアソン比 0.4999
(4)  ポリエステル繊維補強層  １８層
【００２３】
【表１】
0004433626.tif 000002
以上の表１から明らかなように、スチールワイヤー層に最も近接する繊維補強コード層（８、９層目）の繊維コードの配向角度を３５°以上〜５５°未満の範囲に設定すると共に、スチールワイヤー層よりも内側に位置する繊維補強コード層（９〜１８層目）の繊維コードの配向角度αを、２層毎に０°以上〜４°未満の範囲で変化させて積層することで、従来構造である比較例よりもポリエステル繊維層における最大張力が、10.8% 低減する。このように、繊維補強コード層の各層毎の繊維コードにかかる力を均等にすることで、同じ層数で破壊強度を約10% 向上させることが出来ることが判った。
【００２４】
【発明の効果】
この発明は、上記のようにスチールワイヤー層の内側及び外側にそれぞれ最も近接する繊維補強コード層の繊維コードがホース長手方向となす配向角度を、３５°以上〜５５°未満の範囲に設定すると共に、少なくともスチールワイヤー層の内側の繊維補強コード層における配向角度を複数層毎に変化させるようにしたので、繊維補強コード層の各層毎の繊維コードにかかる力を均等にでき、少なくとも同じ層数以下で破壊強度を向上させることが出来る効果がある。
【図面の簡単な説明】
【図１】本発明の実施形態からなるマリンホースの繊維コードの配向状態を示す正面図である。
【図２】図１のＸ部の拡大図である。
【図３】図２のＡ−Ａ矢視における拡大断面図である。
【符号の説明】
１  ホース本体部
２ａ，２ｂ  取付けフランジ
３  ゴムチューブ層
４ａ〜４ｄ  繊維コード
５  繊維補強コード層
６  スチールワイヤー層
７ａ〜７ｃ  繊維コード
８  繊維補強コード層
９  本体耐圧コード層
１０  カバーゴム層
【図１】
0004433626.tif 000003
【図２】
0004433626.tif 000004
【図３】
0004433626.tif 000005